(57)【要約】【課題】天井部付近に気相ベント装置を有するタンクに、昇華性物質を含む油を貯蔵する方法であって、昇華性物質によるベント装置の閉塞を防止し、よって長期にわたって安全に油を貯蔵することができるという優れた効果を有する油の貯蔵方法を提供する。【解決手段】油の表面に、油より比重が小さく、かつ油と相溶性がない液体の層を存在させて貯蔵する。昇華性物質としてはナフタレン類をあげることができ、油としては重油をあげることができ、油より比重が小さく、かつ油と相溶性がない液体としては水をあげることができる。液体の層の厚さは１０〜５０ｃｍが好ましい。層の厚さが薄すぎると層切れを起こす可能性がり、一方層の厚さが厚すぎるとタンクの有効容積を減少させることとなる。【選択図】図１
2009248999.tif 000002
【特許請求の範囲】
【請求項１】
天井部付近に気相ベント装置を有するタンクに、昇華性物質を含む油を貯蔵する方法であって、油の表面に、油より比重が小さく、かつ油と相溶性がない液体の層を存在させて貯蔵する油の貯蔵方法。
【請求項２】
昇華性物質がナフタレン類である請求項１記載の方法。
【請求項３】
油が重油である請求項１記載の方法。
【請求項４】
油より比重が小さく、かつ油と相溶性がない液体が水である請求項１記載の方法。
【発明の詳細な説明】
【技術分野】
【０００１】
本発明は、油の貯蔵方法に関するものである。更に詳しくは、本発明は、天井部付近に気相ベント装置を有するタンクに、昇華性物質を含む油を貯蔵する方法であって、昇華性物質によるベント装置の閉塞を防止し、よって長期にわたって安全に油を貯蔵することができるという優れた効果を有する油の貯蔵方法に関するものである。
【背景技術】
【０００２】
たとえば重油のような油を工業規模で貯蔵する場合、貯蔵タンクが用いられる（たとえば、非特許文献１参照。）。貯蔵タンクとして、円筒形で上部に固定天井部を有るものがある。天井部には、油の受払いに伴うタンク内部の圧力を調整するためのベント装置が設けられている。このベント装置は、その一端を天井部に固定された逆Ｕ字型の中空パイプであり、パイプ内には火気を吸い込むのを防止するための火炎伝播防止装置（金網や複数の加工された鉄板で構成されたフレームアレスター）及び鳥等の進入を防止するための網（バードスクリーン）が設けられているのが一般である。
【０００３】
ところで、重油等にはナフタレン等の昇華性物質が含まれることが多い。昇華性物質を含む油を上記のタンクに貯蔵した場合、昇華性物質によりベント装置が閉塞し、ベント装置が本来の機能を発揮できず、油の受払いに伴いタンク内部の圧力の変化によりタンクが変形したり、著しい場合にはタンクが破壊するという懸念がある。
【０００４】
【非特許文献１】化学プラント便覧  昭和４７年発行  発行所：丸善株式会社  ８７３〜８７５頁
【発明の開示】
【発明が解決しようとする課題】
【０００５】
かかる状況において、本発明が解決しようとする課題は、天井部付近に気相ベント装置を有するタンクに、昇華性物質を含む油を貯蔵する方法であって、昇華性物質によるベント装置の閉塞を防止し、よって長期にわたって安全に油を貯蔵することができるという優れた効果を有する油の貯蔵方法を提供する点にある。
【課題を解決するための手段】
【０００６】
すなわち、本発明は、天井部付近に気相ベント装置を有するタンクに、昇華性物質を含む油を貯蔵する方法であって、油の表面に、油より比重が小さく、かつ油と相溶性がない液体の層を存在させて貯蔵する油の貯蔵方法に係るものである。
【発明の効果】
【０００７】
本発明により、天井部付近に気相ベント装置を有するタンクに、昇華性物質を含む油を貯蔵する方法であって、昇華性物質によるベント装置の閉塞を防止し、よって長期にわたって安全に油を貯蔵することができるという優れた効果を有する油の貯蔵方法を提供することができる。
【発明を実施するための最良の形態】
【０００８】
本発明で用いられるタンクは、天井部付近に気相ベント装置を有するタンクである。
【０００９】
タンクの形状は、特に制限はないが、円筒形で上部に固定天井部を有るものをあげることができる。
【００１０】
天井部には、油の受払いに伴うタンク内部の圧力を調整するためのベント装置が設けられている。このベント装置は、その一端を天井部に固定された逆Ｕ字型の中空パイプであり、パイプ内には火気を吸い込むのを防止するための火炎伝播防止装置（金網や複数の加工された鉄板で構成されたフレームアレスター）及び鳥等の進入を防止するための網（バードスクリーン）が設けられているのが一般である。
【００１１】
本発明の対象となる油は、昇華性物質を含む油である。昇華性物質としてナフタレン類をあげることができ、より具体的にはナフタレンを例示することができる。また、油としては重油を例示することができる。
【００１２】
本発明の最大の特徴は、油の表面に、油より比重が小さく、かつ油と相溶性がない液体の層を存在させて貯蔵する点にある。タンクに貯蔵される油は、ポンプ等による輸送が可能なように一定以下の粘度に維持する必要があり、そのため加温して貯蔵されている。かかる状況において、油中の昇華性物質が気体となって気相部へ放散されて上昇し、ベント装置付近で冷えて固体となって析出し、ベント装置を閉塞するのである。本発明によると、昇華性物質の気相への放散を防止することができ、よって昇華性物質がベント装置付近で冷えて固体となって析出し、ベント装置を閉塞するというトラブルを排除できるのである。
【００１３】
油より比重が小さく、かつ油と相溶性がない液体としては水をあげることができる。液体の層は油の表面全面を覆うものであることが必要であり、また層の厚さは１０〜５０ｃｍが好ましい。層の厚さが薄すぎると層切れを起こす可能性がり、一方層の厚さが厚すぎるとタンクの有効容積を減少させることとなる。
【００１４】
本発明を実施には、要するにタンク内に、油より比重が小さく、かつ油と相溶性がない液体を供給すればよい。液体は自然に油の表面に浮いて層を形成し、本発明の効果を発揮することができる。
【実施例】
【００１５】
次に本発明を実施例により説明する。
【００１６】
比較例１
円筒形（直径１５．５ｍ×高さ１２．１８５ｍ）で上部に固定天井部を有し、天井部付近に気相ベント装置が設けられたタンクを用いた。ベント装置は、その一端を天井部に固定された逆Ｕ字型の中空パイプ（断面は内径２００ｍｍの円）であり、パイプ内にはフレームアレスター（１６メッシュの網×１３枚）及びバードスクリーン（８メッシュの網）が設けられている。
上記のタンクに重油（比重１．０５）を貯蔵した。重油中には１２ｗｔ％のナフタレンが含まれており、重油は温度３５〜４５℃に維持されていた。
上記の状態で冬季３０日間実施した後、ベント装置を取り外して内部を点検した結果、パイプの内部に多量の白色結晶が析出しており、パイプの内部断面積は初期開口面積の０％程度にまで減少していた。なお、白色結晶を分析した結果、ナフタレンが６３重量％であることがわかった。
【００１７】
実施例１
円筒形（直径１５．５ｍ×高さ１３．７ｍ）で上部に固定天井部を有し、天井部付近に気相ベント装置が設けられたタンクを用いた。ベント装置は、その一端を天井部に固定された逆Ｕ字型の中空パイプ（断面は内径１００ｍｍの円×２ケ）であり、パイプ内にはフレームアレスター（１６メッシュの網×１３枚）及びバードスクリーン（８メッシュの網）が設けられている。
上記のタンクに重油（比重１．０５）を貯蔵した。重油中には９．６ｗｔ％のナフタレンが含まれており、重油は温度５０〜６０℃に維持した。タンク内に水を供給し、油の表面に２０ｃｍの水の層を形成したこと以外は、比較例１と同様に行った。３０日間実施した後、ベント装置を取り外して内部を点検した結果、パイプの内部に固体の析出は観察されなかった。
【００１８】
モデル実験
図２の装置を用いた。容器Ａ及び容器Ｂは直径８ｃｍ×高さ１７ｃｍの円筒であり、容器Ａには副生重油（ナフタレン含量１２ｗｔ％）１５０ｇ、容器Ｂには副生重油（ナフタレン含量１２ｗｔ％）１５０ｇ及び水７５ｇを入れた。容器を温度４３℃のバスに入れ、窒素を流通させた。容器を通過した窒素は温度０℃のトラップに導かれた。６時間経過の結果を表１に示した。
【００１９】
【表１】
2009248999.tif 000003
＊１  結果
○：トラップの内壁に固体の析出なし
×：トラップの内壁に固体の析出あり。固体は、分析の結果、ナフタレンであった。
【図面の簡単な説明】
【００２０】
【図１】実施例１タンク内の状況を示す概念図である。
【図２】モデル実験の実験装置を示す概念図である。
【符号の説明】
【００２１】
（図１中の符号）
１  タンク
２  重油
３  水の層
４  タンクの天井部
５  ベント装置
６  フレームアレスター
７  バードスクリーン
８  払い用のポンプ
９  受け込み配管
10  水抜き配管
11  水補給配管
【図１】
2009248999.tif 000004
【図２】
2009248999.tif 000005